(57)【要約】【課題】テーブル面等の板状部分に引っ掛け可能でありかつコンパクトな構成のハンガーグリップ式の折畳み傘の柄を提供する。【解決手段】折畳み傘の中央シャフト１２の基部１３に設けられる把持用の柄１１において、該柄１１は、基部１３に連結するグリップ部１４と、該グリップ部１４の上部１６に設けられる引っ掛け用のハンガー部１５とから構成され、該ハンガー部１５は、アーチ状に形成され、端部２２側がグリップ部１４の底部側から回転可能にビス２４止めされ、自由端部２６には滑り止め用のゴム部材２５が突設され、グリップ部１４の上部１６には、ゴム部材２５が収まる凹部１９が形成されている。【選択図】図５
0003170244.tif 000002
【実用新案登録請求の範囲】
【請求項１】
折畳み傘の中央シャフトの基部に設けられる把持用の柄において、
該柄は、前記基部に連結するグリップ部と、該グリップ部の上部に設けられる引っ掛け用のハンガー部とから構成され、
該ハンガー部は、アーチ状に形成され、端部側が前記グリップ部の底部側から回転可能にビス止めされ、自由端部には滑り止め用のゴム部材が突設され、
前記グリップ部の上部には、前記ゴム部材が収まる凹部が形成されていること
を特徴とする折畳み傘の柄。
【請求項２】
前記ハンガー部の端部は、縮径した円柱部が連設され、該円柱部が前記グリップ部に形成された孔部に回転可能に嵌合し、前記グリップ部の底部側から前記円柱部に対して回転可能にビス止めされた構成であること
を特徴とする請求項１に記載の折畳み傘の柄。
【考案の詳細な説明】
【技術分野】
【０００１】
本考案は、手で把持するグリップ部に引っ掛け用のハンガー部を装備したハンガーグリップ式の折畳み傘の柄に関するものである。
【背景技術】
【０００２】
従来、引っ掛け用の部材を備える折畳み傘の柄としては、図１０に示すような構成の折畳み傘の柄１が知られている。この柄１には、ループ状の吊り紐２が設けられており、さらに、柄１における吊り紐２の基部付近には、小形のフック３が設けられている（特許文献１及び２参照）。
【０００３】
このような柄１を備える折畳み傘を、例えばハンドバッグの提げ手に吊り下げる場合は、吊り紐２を提げ手にぐるりとくぐらせてから、吊り紐２の先端の輪っか部分４をフック３に引っ掛けることで、折畳み傘を提げ手に吊り下げることができる。
【０００４】
一方、図１１に示すように、通常の長尺な傘５においては、湾曲状の柄６が設けられて、柄６の先端部にゴム製のキャップ７が挿着された構成のものが知られている（特許文献３参照）。
【０００５】
このような構成の傘５は、柄６の先端部をテーブル面８に当接させて立て掛けることで、キャップ７が滑り止めの役目を果たしてテーブル面８からズレることがなく、傘５が滑り落ちないのである。
【先行技術文献】
【特許文献】
【０００６】
【特許文献１】特開２００５−１９２９０９号公報
【特許文献２】特開２００６−１５８６７５号公報
【特許文献３】特開２０１０−１８４０９９号公報
【考案の概要】
【考案が解決しようとする課題】
【０００７】
従来例の折畳み傘の柄１においては、吊り紐２をバッグの提げ手やフック状の掛け具に引っ掛けることはできるが、しかしながら、吊り紐２をテーブル面やカウンター面のような板状部分に引っ掛けられないという問題点を有している。
【０００８】
また、柄１に設けられたフック３は、把持する際に邪魔であり、手指を傷付けるおそれがあるという問題点も有している。
【０００９】
一方、従来例の湾曲状の柄６はテーブル面等の板状部分に引っ掛けられるが、この柄６を折畳み傘の柄１に適用するならば、柄の部分が大きく湾曲して嵩張ってしまう。従って、コンパクトを追求する折畳み傘では、実質的に湾曲状の柄６の適用は困難である。
【００１０】
従って、従来例における折畳み傘の柄１においては、テーブル面等の板状部分に引っ掛け可能な構成とし、かつコンパクトな仕組みにすることと、手で把持した時に邪魔にならない構造にすることとに解決しなければならない課題を有している。
【課題を解決するための手段】
【００１１】
前記従来例の課題を解決するための本考案の要旨は、折畳み傘の中央シャフトの基部に設けられる把持用の柄において、該柄は、前記基部に連結するグリップ部と、該グリップ部の上部に設けられる引っ掛け用のハンガー部とから構成され、該ハンガー部は、アーチ状に形成され、端部側が前記グリップ部の底部側から回転可能にビス止めされ、自由端部には滑り止め用のゴム部材が突設され、前記グリップ部の上部には、前記ゴム部材が収まる凹部が形成されていることである。
【００１２】
また、前記ハンガー部の端部は、縮径した円柱部が連設され、該円柱部が前記グリップ部に形成された孔部に回転可能に嵌合し、前記グリップ部の底部側から前記円柱部に対して回転可能にビス止めされた構成であること、；
を含むものである。
【考案の効果】
【００１３】
本考案に係る折畳み傘の柄によれば、ハンガー部がアーチ状に形成されてグリップ部の上部に設けられるので、ハンガー部の閉成時にはコンパクトに収納されて、手で把持したときにフィットする。
また、折畳み傘の柄は、端部を中心にしてハンガー部を回転し、自由端部側を外側に位置させることによって、ハンガー部が引っ掛け可能な状態になる。
このハンガー部は、フック状の掛け具だけでなく、テーブル面やカウンター面のような板状部分に引っ掛けることができる。
そして、ハンガー部は、自由端部に滑り止め用のゴム部材が突設されるので、テーブル面等の板状部分に引っ掛けたときにズレない。
グリップ部の上部には、ゴム部材が収まる凹部が形成されているので、ハンガー部の閉成時には凹部にゴム部材がピッタリと収まることとなる。従って、ハンガー部の閉成状態が維持されて、意に反してハンガー部が開成（回転）しないという種々な優れた効果を奏する。
【図面の簡単な説明】
【００１４】
【図１】本考案に係る折畳み傘の柄１１の斜視図である。
【図２】本考案に係る折畳み傘の柄１１の正面図である。
【図３】本考案に係る折畳み傘の柄１１の側面図である。
【図４】本考案に係る折畳み傘の柄１１の平面図である。
【図５】図２の縦断面図である。
【図６】図３の縦断面図である。
【図７】ハンガー部１５を板状部分２７に引っ掛けた状態を示す説明図である。
【図８】図７の要部の縦断面図である。
【図９】ハンガー部１５を板状部分２７に引っ掛けた状態を示す説明図である。
【図１０】従来例に係る折畳み傘の柄１の斜視図である。
【図１１】従来例に係る傘５をテーブルに立て掛けた状態の説明図である。
【考案を実施するための形態】
【００１５】
次に、本考案の実施の形態について図面を参照しながら説明する。まず、図１から図６において、符号１１は折畳み傘の柄を示し、この折畳み傘の柄１１は、中央シャフト１２の基部１３に連結するグリップ部１４と、グリップ部１４の上部に回転可能に取り付けられる引っ掛け用のハンガー部１５とから構成される。
【００１６】
グリップ部１４は、上部１６が横長形状あるいは楕円形状に形成されており、この上部１６の周縁部に沿って壁部１７が設けられている（図１参照）。
【００１７】
グリップ部１４の上部１６における一端側には、後述する円柱部２３が嵌合する孔部１８が形成されている（図５参照）。また、グリップ部１４の上部１６における他端側には、後述するゴム部材２５が収まる凹部１９が形成されている（図５及び図８参照）。
【００１８】
更に、グリップ部１４の底部側には、中央シャフト１２の基部１３側と嵌合して固定状態に連結する連結部２０が形成されており、連結部２０の周囲には、空隙部２１が形成されている（図５及び図６参照）。
【００１９】
ハンガー部１５は、アーチ状に形成されており、端部２２には、縮径した円柱部２３が連設されている。この円柱部２３がグリップ部１４に形成された孔部１８に回転可能に嵌合しており、更に、グリップ部１４の底部側から円柱部２３に対して回転可能にビス２４止めした構成になっている（図５参照）。
【００２０】
ハンガー部１５の自由端部２６には、滑り止め用のゴム部材２５が突設している。このゴム部材２５が、ハンガー部１５の閉成時に、凹部１９に対してピッタリと収まるようになっている（図５参照）。従って、ハンガー部１５の閉成状態が維持されて、意に反してハンガー部１５が開成（回転）しない仕組みになっている。
【００２１】
以上のように構成される折畳み傘の柄１１は、ハンガー部１５がアーチ状に形成されてグリップ部１４の上部に設けられるので、ハンガー部１５の閉成時にはコンパクトに収納されて、手で把持したときにフィットする。
また、折畳み傘の柄１１は、端部２２を中心にしてハンガー部１５を回転し、自由端部２６側を外側に位置させることによって、ハンガー部１５が引っ掛け可能な状態になる。
このハンガー部１５は、フック状の掛け具だけでなく、テーブル面やカウンター面のような板状部分２７に引っ掛けることができる（図７から図９参照）。
そして、ハンガー部１５は、自由端部２６に滑り止め用のゴム部材２５が突設されるので、テーブル面等の板状部分２７に引っ掛けたときにズレない。
更には、グリップ部１４の上部１６には、ゴム部材２５が収まる凹部１９が形成されているので、ハンガー部１５の閉成時には凹部１９にゴム部材２５がピッタリと収まることとなり、ハンガー部１５の閉成状態が維持されて、意に反してハンガー部１５が開成（回転）しないこととなる。
【符号の説明】
【００２２】
１    折畳み傘の柄
２    吊り紐
３    フック
４    輪っか部分
５    傘
６    柄
７    キャップ
８    テーブル面
１１  折畳み傘の柄
１２  中央シャフト
１３  基部
１４  グリップ部
１５  ハンガー部
１６  上部
１７  壁部
１８  孔部
１９  凹部
２０  連結部
２１  空隙部
２２  端部
２３  円柱部
２４  ビス
２５  ゴム部材
２６  自由端部
２７  板状部分
【図１】
0003170244.tif 000003
【図２】
0003170244.tif 000004
【図３】
0003170244.tif 000005
【図４】
0003170244.tif 000006
【図５】
0003170244.tif 000007
【図６】
0003170244.tif 000008
【図７】
0003170244.tif 000009
【図８】
0003170244.tif 000010
【図９】
0003170244.tif 000011
【図１０】
0003170244.tif 000012
【図１１】
0003170244.tif 000013